(57)【要約】【課題】照明装置の発光面に対して遮光角を確保することにより、グレアを低減することができる取付補助部材及び照明装置を提供する。【解決手段】天井１１０に設けられた取付孔１１０ｃに、発光面を有する照明装置本体２０を取付けるべく用いられる取付補助部材１０において、取付孔１１０ｃの周縁部に当接する当接部１２と、発光面が被照射側に対して周縁部よりも奥になるように照明装置本体２０を保持する保持部１１と、当接部１２の反対側から天井１１０を押圧する押圧部とを備えている。発光面が周縁部よりも奥になるように、保持部１１及び当接部１２間を適切に離隔するように取付補助部材１０を構成して、当接部１２及び押圧部により天井１１０を挟持して取付補助部材１０を取付孔１１０ｃに取付けることにより、照明装置の発光面に対して遮光角を確保した状態にて照明装置本体２０を天井１１０に取付けることが可能となり、グレアを低減できる。【選択図】図３
2011076979.tif 000002
【特許請求の範囲】
【請求項１】
天井等の取付部材に設けられた取付孔に、発光面を有する照明装置本体を取付けるべく用いられる取付補助部材において、
前記取付孔の周縁部に当接する当接部と、前記発光面が被照射側に対して前記周縁部よりも奥になるように前記照明装置本体を保持する保持部と、前記当接部の反対側から前記取付部材を押圧する押圧部とを備えることを特徴とする取付補助部材。
【請求項２】
前記押圧部をその一部に有し、他の部分にて前記保持部の側に固定される装着部材を備えることを特徴とする請求項１に記載の取付補助部材。
【請求項３】
前記当接部及び保持部を連結する筒部と、該筒部の周面から外向きに突設され、前記装着部材の前記他の部分が固定される固定部とを備えることを特徴とする請求項１に記載の取付補助部材。
【請求項４】
前記取付部材に前記当接部の反対側から当接するフレームと、前記保持部の側に設けられた枢軸周りに揺動可能に保持された揺動腕部とを備え、
前記押圧部は前記揺動腕部の先端部に設けてあり、前記フレームを介して前記取付部材を押圧することを特徴とする請求項１に記載の取付補助部材。
【請求項５】
請求項１から請求項４の何れか一つに記載の取付補助部材と、
該取付補助部材によって前記取付部材に取付けられる照明装置本体とを備えることを特徴とする照明装置。
【発明の詳細な説明】
【技術分野】
【０００１】
本発明は、取付部材に設けられた取付孔に発光面を有する照明装置本体を取付けるべく用いられる取付補助部材及び該取付補助部材を備える照明装置に関する。
【背景技術】
【０００２】
天井等の取付部材に開口された取付孔に取付けられる照明装置として、例えば、有底円筒状をなす照明装置本体を、その一部又は全体が埋込まれるように前記取付孔に挿入して、前記取付部材に固定されるように構成された所謂ダウンライト等の埋込み型照明装置がある。この埋込み型照明装置は、照明装置本体の外周の適宜位置に設けられた板ばね等の装着部材により、照明装置本体の一端側に設けられた光源が前記取付孔の側になるように前記取付部材に装着してある（例えば、特許文献１参照）。
【０００３】
特許文献１に開示された照明装置は、光源を有する光源部と、光源を点灯する電源部と、その一端部に光源部を支持する支持部、他端部に電源部に電源を供給する電源端子台が設けられた取付部及び電源部を内部に収容する空間部を有する円筒状の器具本体とを備えている。この照明装置は、器具本体の外周に設けられたバネ材からなる支持具により光源部の側が取付孔の側になるように天井に設置され、所謂ダウンライトとして用いられる。
【先行技術文献】
【特許文献】
【０００４】
【特許文献１】特開２００８−１８６７７６号公報
【発明の概要】
【発明が解決しようとする課題】
【０００５】
特許文献１に係る照明装置は、各光源に対向する位置に回転放物面状をなす反射面を有するすり鉢状の貫通孔が形成された反射体を備えている。光源からの光はこの反射体の反射面にて反射されて光源の光軸となす角度が所定角度以下になる範囲に含まれるから、照明装置の直下照度が強い配光特性を有する光が照明装置から出射されることになる。また、このような反射面を有する反射体を設けているから、光源の遮光角（光源と反射面の下端部とを通る直線と天井面とによって規定される角度）を確保することができる。これにより、この遮光角の範囲から照明装置を見上げた場合において、高輝度の光源自体を視認することを防ぐことができるから、グレアをある程度軽減することができる。
【０００６】
ところが、光源からの光を反射する反射体は高反射率の材料製であるから、光源からの光は反射面にて、拡散されつつ、略全反射されることになる。このため、反射面があたかも発光面のごとく光ることになるから、照明装置を見上げた場合に、反射面が眩しく、使用者に不快感を与える虞があった。以下、発光面として、光源が光を出射する面である光源の発光面の他、光源からの光を反射する反射体の反射面、光源の光出射側にレンズ又は拡散板を用いた場合のレンズ又は拡散板の光出射面を含めて考える。
【０００７】
本発明は斯かる事情に鑑みてなされたものであり、照明装置の発光面に対して遮光角を確保するように取付孔に取付けることにより、グレアを低減することができる取付補助部材及び照明装置を提供することを目的とする。
【課題を解決するための手段】
【０００８】
本発明に係る取付補助部材は、天井等の取付部材に設けられた取付孔に、発光面を有する照明装置本体を取付けるべく用いられる取付補助部材において、前記取付孔の周縁部に当接する当接部と、前記発光面が被照射側に対して前記周縁部よりも奥になるように前記照明装置本体を保持する保持部と、前記当接部の反対側から前記取付部材を押圧する押圧部とを備えることを特徴とする。
【０００９】
本発明にあっては、取付部材に設けられた取付孔の周縁部に当接する当接部と、発光面が被照射側に対して前記周縁部よりも奥になるように照明装置本体を保持する保持部と、当接部の反対側から取付部材を押圧する押圧部とを備えている。発光面が周縁部よりも奥になるように、保持部及び当接部間を適切に離隔するように取付補助部材を構成して、当接部及び押圧部により取付部材を挟持して取付補助部材を取付孔に取付けることにより、照明装置から外部へ光が出射する光出射面と照明装置の発光面とを適長離隔することが可能となる。これにより、照明装置の発光面に対して遮光角を確保した状態にて照明装置本体を取付部材に取付けることが可能となり、グレアを低減することができる。
【００１０】
本発明に係る取付補助部材は、前記押圧部をその一部に有し、他の部分にて前記保持部の側に固定される装着部材を備えることを特徴とする。
【００１１】
本発明にあっては、前記押圧部をその一部に有し、他の部分にて保持部の側に固定される装着部材を備えている。装着部材を適切に形成することにより、簡易な構成にて、取付孔に対して取付補助部材を着脱可能に取付けることが可能となる。
【００１２】
本発明に係る取付補助部材は、前記当接部及び保持部を連結する筒部と、該筒部の周面から外向きに突設され、前記装着部材の前記他の部分が固定される固定部とを備えることを特徴とする。
【００１３】
本発明にあっては、当接部及び保持部を連結する筒部の周面から外向きに突設された固定部に前記装着部材を他の部分にて固定するようにしてある。装着部材を筒部の外側に固定するようにしてあるから、光源の光出射方向に設けられる筒部の内面に締結部材を露出させずに装着部材を固定することが可能となり、美観に資する。また、装着部材の固定位置と取付部材を押圧する位置との間隔を小さくすることが可能となるから、装着部材及び取付補助部材の固定部に作用するモーメントを低減することができる。
【００１４】
本発明に係る取付補助部材は、前記取付部材に前記当接部の反対側から当接するフレームと、前記保持部の側に設けられた枢軸周りに揺動可能に保持された揺動腕部とを備え、前記押圧部は前記揺動腕部の先端部に設けてあり、前記フレームを介して前記取付部材を押圧することを特徴とする。
【００１５】
本発明にあっては、取付部材に当接部の反対側から当接するフレームと、保持部の側に設けられた枢軸周りに揺動可能に保持された揺動腕部とを備え、該揺動腕部の先端部に前記押圧部を設け、該押圧部によりフレームを介して取付部材を押圧するように構成してある。フレームを取付孔の前記当接部と反対側の周縁部に載置し、揺動腕部の先端部を保持部に近接させた状態にて、取付補助部材を取付部材の取付孔を挿通させた後に、揺動腕部を枢軸周りに回転させて該揺動腕部の先端部がフレームに対向する位置まで移動させる。この後、先端部に設けた押圧部によりフレームを押圧することにより、取付補助部材が取付部材に取付けられる。押圧部材としてネジ等の締結部材を用いることにより、確実に安定して取付補助部材本体を取付部材に着脱可能に取付けることができる。
【００１６】
本発明に係る照明装置は、前述の発明に記載の取付補助部材と、該取付補助部材によって前記取付部材に取付けられる照明装置本体とを備えることを特徴とする。
【００１７】
本発明にあっては、前述の発明に記載の取付補助部材と、該取付補助部材によって取付部材に取付けられる照明装置本体とを備えている。取付補助部材を前述した如く構成することにより、照明装置の発光面に対して遮光角を確保するように取付孔に照明装置本体を取付けることが可能となり、グレアを低減することができる。
【発明の効果】
【００１８】
本発明によれば、照明装置の発光面に対して遮光角を確保した状態にて取付部材の取付孔に照明装置本体を取付けることができ、グレアを低減することができる。
【図面の簡単な説明】
【００１９】
【図１】本発明の実施の形態１に係る照明装置の模式的外観斜視図である。
【図２】実施の形態１に係る照明装置の模式的分解斜視図である。
【図３】実施の形態１に係る照明装置の模式的断面図である。
【図４】実施の形態１に係る取付補助部材の模式的外観斜視図である。
【図５】本発明の実施の形態２に係る照明装置の模式的分解斜視図である。
【図６】実施の形態２に係る照明装置の模式的断面図である。
【図７】実施の形態２に係る取付補助部材の模式的平面図である。
【図８】本発明の実施の形態３に係る照明装置の模式的断面図である。
【図９】本発明の実施の形態４に係る照明装置の模式的断面図である。
【図１０】実施の形態４に係る取付補助部材の模式的平面図である。
【図１１】パッキンの断面形状の例を示す図である。
【図１２】取付補助部材を用いずに取付部材に直接取付けるように構成された照明装置の模式的分解斜視図である。
【図１３】取付部材に直接取付けるように構成された照明装置の模式的部分断面図である。
【発明を実施するための形態】
【００２０】
以下、本発明をその実施の形態を示す図面に基づいて詳述する。なお、本発明に係る取付補助部材として、取付部材である天井に設けられた取付孔に所謂ダウンライト等の埋込み型照明装置本体を取付けるべく用いられる取付補助部材を例に以下説明する。また、以下、発光面として、光源が光を出射する面である光源の発光面の他、光源からの光を反射する反射体の反射面、光源の光出射側にレンズ又は拡散板を用いた場合のレンズ又は拡散板の光出射面を含めて考える。
（実施の形態１）
図１は、本発明の実施の形態１に係る照明装置１００の模式的外観斜視図である。図２は、実施の形態１に係る照明装置１００の模式的分解斜視図である。図３は、実施の形態１に係る照明装置１００の模式的断面図である。図４は、実施の形態１に係る取付補助部材１０の模式的外観斜視図である。
【００２１】
図において１は、光源を有する照明装置本体を天井等の取付部材に設けられた取付孔に取付けるべく用いられる取付補助部材本体である。取付補助部材本体１は、照明装置本体２０を保持する保持部１１と、該保持部１１に離隔して設けられ、取付部材である天井１１０の取付孔１１０ｃ（図３に２点鎖線にて示す）の周縁部に当接する当接部１２と、保持部１１及び当接部１２を連結する筒部１３とを備えている。なお、取付補助部材本体１は、例えば、アルミニウム等の金属製であり、プレス加工等により形成してある。
【００２２】
保持部１１は、その中央部に円形穴を有する円板状であり、該保持部１１の外周縁には筒部１３が立設してある。該筒部１３は、保持部１１の側から他側に向けて緩やかに拡径するように形成してある。筒部１３の他側には、端部から直交する方向に径方向外向きに延設された環状の当接部１２が設けてある。該当接部１２の外周縁には、全周に亘って立設された突設部１２ａが設けてある。
【００２３】
筒部１３の保持部１１の側には、図３に示すように、保持部１１及び筒部１３の内面が略直角をなすように径方向内向きに窪ませてなる凹部１３ａが全周に亘って設けてある。これにより、後述する照明装置本体２０の鍔部を保持部１１に安定して当接させることができる。
【００２４】
この取付補助部材本体１には、当接部１２の反対側から天井１１０を押圧する押圧部を有する装着部材としての板ばね２が複数取付けてある。板ばね２は、ステンレス鋼等の金属製であり、細長い矩形板を屈曲させて形成してある。板ばね２の一側には、照明装置本体２０に取付けられる矩形板状の照明装置本体取付部２１が設けてあり、該照明装置本体取付部２１には貫通穴２１ａが形成してある。照明装置本体取付部２１の一側には、該照明装置本体取付部２１に略直角をなして連設され取付補助部材本体１に取付けられる矩形板状の取付補助部材本体取付部２２が設けてあり、取付補助部材本体取付部２２には貫通穴２２ａが形成してある。この取付補助部材本体取付部２２には、Ｖ字状に湾曲してなる屈曲部２３が連設してある。
【００２５】
屈曲部２３を挟んだ板ばね２の他側には、一側に凸状に湾曲し、板ばね２の長手方向に沿う断面形状が円弧状である第１の押圧部２４及び第２の押圧部２５が連設してある。なお、第１の押圧部２４と第２の押圧部２５の湾曲の曲率半径は異なっており、第２の押圧部２５の曲率半径は第１の押圧部２４の曲率半径よりも大である。これは、板厚が異なる天井に対して、下方向の押圧力を作用させて設置可能なようにするためである。第２の押圧部２５には、矩形板状の腕部が連設してあり、腕部の端部には抜止部が設けてある。なお、抜止部は、板ばね２の第１の押圧部２４及び第２の押圧部２５が天井に当接しない状態において、照明装置本体２０の落下を防止するために設けてある。
【００２６】
この板ばね２は、取付補助部材本体１の保持部１１に取付補助部材本体取付部２２にて取付けてある。図３及び４に示すように、保持部１１の外面に板ばね２の取付補助部材本体取付部２２を密着させた状態においてネジ１６等の締結部材により周方向に３等配をなして取付補助部材本体１に固定してある。
【００２７】
このように取付補助部材本体１に板ばね２，２…が取付けてなる取付補助部材１０には、照明装置本体２０が取付けられる。照明装置本体２０は、光源であるＬＥＤ３，３…と、ＬＥＤ３，３…からの熱を放散する放熱体であるヒートシンク４と、ＬＥＤ３，３…の光出射方向に設けられ、ＬＥＤ３，３…からの光を反射する反射板５と、ＬＥＤ３，３…の光出射方向に設けられた化粧枠６と、反射板５及び化粧枠６間に介挿された透光板７とを備えている。
【００２８】
ＬＥＤ３は、例えば、ＬＥＤ素子と、該ＬＥＤ素子を封止する封止樹脂と、入力端子及び出力端子とを備えてなる表面実装型のＬＥＤである。複数のＬＥＤ３，３…はＬＥＤ基板に実装してあり、該ＬＥＤ基板はヒートシンク４に取付けてある。なお、ＬＥＤ３の光出射面（ＬＥＤ３の下面）が光源の発光面に対応する。
【００２９】
ヒートシンク４は、円筒状の筒体４１と、該筒体４１の一端側の外周面に設けられた鍔部４２と、筒体４１の一端側に設けられ、ＬＥＤ３，３…が実装されたＬＥＤ基板が取付けられる伝熱板４３とを備えている。この伝熱板４３により、筒体４１の内部が、後述する電源回路部が収容される電源収容部と、該電源収容部よりも拡径され、光源部が収容される光源収容部の２つの部屋に区画される。なお、ヒートシンク４は、例えば、アルミダイキャストにより一体成形される。
【００３０】
筒体４１には、板ばね２，２…を固定する固定部４１ａが周方向に略３等配をなして設けてある。この固定部４１ａには、ネジ用穴４１ｂが設けてある。
【００３１】
また、筒体４１は、該筒体４１の電源収容部の側の周壁の一部を内側に凹ませて（筒体４１の半径よりも所定間隔内側になるように）平板状にしてなり、後述する端子台が固定される端子台固定部４１ｃを有している。
【００３２】
鍔部４２は、中央に開口を有する円板状である。鍔部４２は、筒体４１側と反対側の一面が径方向の内側から外側に向けて緩やかに傾斜する傾斜面になるように形成してある。鍔部４２は、筒体４１側の他面が略平面に形成してあり、該他面の外周縁には、全周に亘って立設された２つの突設部が同心をなして設けてある。この２つの突設部間には、設置場所に応じて、例えば、ラバー等の弾性を有する合成樹脂製部材であるパッキンが嵌入される。
【００３３】
ヒートシンク４の伝熱板４３の鍔部４２の側の面である一面４３ａには、前述したＬＥＤ３，３…が実装されたＬＥＤ基板が取付けてある。伝熱板４３にはＬＥＤ３，３…に給電する電線用の穴が設けてあり、この穴を塞ぐように、ＬＥＤ基板と伝熱板４３との間に電気絶縁性の熱伝導性接着剤が充填してある。なお、熱伝導性接着剤に代えて、例えば、フィラーとして金属酸化物を適量含むシリコーン系樹脂製の伝熱シートを介挿してもよい。これにより、発熱体であるＬＥＤ３からの熱をヒートシンク４に効率的に伝達することができると共に、気密性を向上することができる。
【００３４】
ＬＥＤ基板が取付けられたヒートシンク４の伝熱板４３の一面４３ａには、反射板５が固定してある。反射板５には、該反射板５をヒートシンク４に取付けたときにＬＥＤ３，３…に対応する位置に、ＬＥＤ３，３…を取り囲むように、略半球状の凹部を有する複数の反射部５１，５１…が形成してある。反射板５は、高い反射率を有する電気絶縁性の材料であり、例えば、ポリカーボネート樹脂製、アルミナ焼結体等である。なお、反射板５は高い反射率を有しているから、反射板５の反射部５１も発光面として考慮する。
【００３５】
光源であるＬＥＤ３，３…からの光は、この反射板５の反射部５１，５１…にて反射されて、ＬＥＤ３，３…の光軸となす角度が所定角度以下になる範囲に含まれることになり、照明装置本体２０の直下照度が強くなるように配光特性が制御された光が照明装置本体２０から出射されることになる。
【００３６】
この反射板５には、化粧枠６が取付けてある。化粧枠６は、中央に開口を有する円板状であり、ポリカーボネート等の樹脂製である。この化粧枠６は化粧枠に設けられた係合爪（図示せず）を反射板５に設けられた係合穴（図示せず）に係止することにより反射板５に着脱可能に固定してある。これら反射板５及び化粧枠６間には、ＬＥＤ３，３…を覆うように透光板７が挟持してある。これにより、ＬＥＤ３，３…が収容される光源収容部が閉止される。なお透光板７は、例えば、ポリカーボネート樹脂製である。
【００３７】
一方、ヒートシンク４の筒体４１の伝熱板４３の他面（一面４３ａの反対側の面）には、図３に示すように、電源回路部８１が収容される。電源回路部８１は矩形板状をなす回路基板と、該回路基板に実装された電子部品とを備えてなる。この電源回路部８１は、伝熱シート８２、絶縁シート８３を介して支持板８４に取付けてある。支持板８４は、鉄等の金属製であり、伝熱シート（図示せず）を介してヒートシンク４に固定してある。なお、これら伝熱シートは、ヒートシンク４に固定した状態において、隙間なく各部材間に介装されるように設けてある。これにより、電源回路部８１からの熱はヒートシンク４に効率的に伝達されることになる。電源回路部８１が収容された筒体４１の端部には、蓋部４６が取付けてあり、これにより電源回路部８１が収容される電源収容部が閉止される。
【００３８】
また、ヒートシンク４には、電源回路部８１を介してＬＥＤ３，３…に電力を供給する電力線である電源ケーブルが接続される電源用端子台８６とＬＥＤ３，３…の調光用の信号線が接続される調光用端子台８７とが取付けてある。これら電源用端子台８６及び調光用端子台８７はＬ字状の端子台支持アングル８５に夫々取付けてある。このように電源用端子台８６及び調光用端子台８７が取付けられた端子台支持アングル８５は、筒体４１の端子台固定部４１ｃにネジ等の締結部材により、ヒートシンク４に固定してある。
【００３９】
以上のように一体化された照明装置本体２０は、取付補助部材１０の保持部１１に取付けられる。照明装置本体２０を電源用端子台８６の側から保持部１１に設けられた円形穴に挿通させて、ヒートシンク４の鍔部４２が取付補助部材１０の保持部１１に当接するまで相対移動させ、筒部４１の固定部４１ａに設けられたネジ用穴４１ｂが板ばね２の照明装置本体取付部２１に設けられた貫通穴２１ａに整合するように位置合わせをした後に、ネジ４７をネジ用穴４１ｂに螺合する。これにより、照明装置本体２０が板ばね２を介して取付補助部材本体１に取付けられる。
【００４０】
このように一体化された照明装置１００は、取付部材である天井１１０に設けられた取付孔１１０ｃに取付けられる。この照明装置１００は、電源ケーブル等を照明装置１００に接続した後に、板ばね２，２…を照明装置本体２０の側に押し付けた状態にて天井１１０に設けられた取付孔１１０ｃに照明装置１００を電源用端子台８６の側から挿通させて、板ばね２，２…から手を離して照明装置１００をさらに押し込むことにより、取付補助部材１０の当接部１２の突設部１２ａが天井１１０の下面１１０ａに当接された状態にて、当接部１２及び押圧部により天井１１０を挟持して、照明装置１００が取付孔１１０ｃに固定されることになる。
【００４１】
照明装置１００においては、ＬＥＤ３，３…への電源供給に伴ってＬＥＤ３，３…が点灯し、ＬＥＤ３，３…からの光は、反射板５の反射部５１，５１…にて反射されて、ＬＥＤ３，３…の光軸となす角度が所定角度以下になる範囲に含まれることになる。この反射部５１により反射された光の一部は、更に取付補助部材本体１の筒部１３の内面にて反射される。これにより、照明装置の直下照度が更に強くなるように配光特性が制御された光が照明装置から出射することになる。なお、本発明に係る照明装置１００においては、高い反射率を有する反射板５の反射部５１を用いているから、反射板５の反射部５１が照明装置１００の発光面に相当する。従って、本実施の形態においては、以下に述べる反射板５の反射部５１，５１…に対する遮光角が照明装置１００の発光面に対する遮光角に対応する。
【００４２】
本実施の形態に係る照明装置１００においては、照明装置１００の発光面が取付孔１１０ｃの周縁部よりも奥になるように、照明装置本体２０を保持する保持部１１と、取付孔１１０ｃの周縁部に当接する当接部１２とを離隔して設けて、図３に示すように、照明装置１００の発光面と照明装置１００から外部へ光が出射する光出射面との間隔、換言すると反射部５１の下端部と当接部１２の下端部との間隔がＨとなるように、当接部１２と第１の押圧部２４又は第２の押圧部２５とにより天井１１０を挟持して取付補助部材１０を取付孔１１０ｃに取付けることにより照明装置１００を天井１１０に取付けている。この間隔Ｈは、光源であるＬＥＤ３，３…に対する遮光角θ１（ＬＥＤ３と当接部１２の下端部とを通る直線と天井面１１０ａとによって規定される角度）及び反射板５の反射部５１，５１…に対する遮光角、換言すると照明装置１００の発光面に対する遮光角θ２（反射部５１の下端部と当接部１２の下端部とを通る直線と天井面１１０ａとによって規定される角度）を所望の角度にすべく適切に設定してある。
【００４３】
これにより、遮光角θ１の範囲から照明装置１００を見上げた場合において、高輝度の光源であるＬＥＤ３自体を視認することを防ぐことができると共に、遮光角θ２の範囲から照明装置１００を見上げた場合において、謂わば、第２の発光面となる反射部５１自体を視認することを防ぐことができる。即ち、本実施の形態に係る取付補助部材１０を用いることにより、照明装置１００の発光面に対する遮光角を確保した状態にて照明装置本体２０を天井１１０に取付けることができる。この結果、グレアを低減することができ、使用者に不快感を与えることを抑制することができる。
【００４４】
本実施の形態に係る照明装置１００においては、当接部１２の反対側から天井１１０を押圧する押圧部２４，２５をその一部に有し、他の部分にて保持部１１の側に固定される板ばね２を用いている。より詳細には、Ｖ字状の板ばね２を用い、板ばね２の一側に設けられた取付補助部材本体取付部２２（板ばね２の他の部分）を取付補助部材１０の保持部１１の側（本実施の形態においては保持部１１）に固定すると共に、板ばね２の屈曲部２３を挟んだ他側に設けられた押圧部２４，２５により当接部１２の反対側から天井１１０を押圧するように構成してある。このような簡易な構成にて取付孔１１０ｃに対して取付補助部材１０を着脱可能に取付けることができる。
【００４５】
また、本実施の形態においては、装着部材である板ばね２が保持部１１及び照明装置本体２０を連結する連結部材を兼ねているから、板ばね２により取付補助部材１０を取付孔１１０ｃに取付けると共に、保持部１１及び照明装置本体２０が連結される。このような簡易な構成により、照明装置本体２０及び取付補助部材本体１と取付補助部材本体１及び天井１１０の取付けを行うことができる。
【００４６】
（実施の形態２）
図５は、本発明の実施の形態２に係る照明装置１００ａの模式的分解斜視図である。図６は、実施の形態２に係る照明装置１００ａの模式的断面図である。図７は、実施の形態２に係る取付補助部材１０ａの模式的平面図である。
【００４７】
実施の形態２に係る取付補助部材本体１ａは、当接部１２及び保持部１１を連結する筒部１３の中心線と交差する方向（より好ましくは、直交する方向）に筒部１３の周面の一部から外向きに突設された固定部１４を備えており、該固定部１４には装着部材である板ばね２ａが固定してある。固定部１４は、図７に示すように、保持部１１及び筒部１３から径方向外向きに突設された平行な２つの連設板部１４ｂ，１４ｂと該連設板部１４ｂ，１４ｂ間を連結し、板ばね２ａが固定される固定板部１４ａとを備えている。
【００４８】
保持部１１の内周縁には、略全周に亘って突設部１１ａが立設してある。この突設部１１ａの周方向の３カ所には、凹部１１ｂ，１１ｂ…が設けてある。
【００４９】
当接部１２の保持部１１の側の面の外周縁には、全周に亘って立設された２つの突設部１２ａ，１２ｂが同心をなして設けてある。この２つの突設部１２ａ，１２ｂ間の平面１２ｃには、ラバー等の弾性を有する合成樹脂製部材であるパッキン１８が嵌入されている。パッキン１８は、図５に示すように、中央に開口を有する円板状であり、断面形状は矩形状である。
【００５０】
板ばね２ａの一側には、取付補助部材本体１ａに取付けられる矩形板状の取付補助部材本体取付部２６（板ばね２ａの他の部分）が設けてあり、取付補助部材本体取付部２６には貫通穴が形成してある。この取付補助部材本体取付部２６には、Ｖ字状に湾曲してなる屈曲部２３が連設してある。屈曲部２３を挟んだ板ばね２ａの他側には、一側に凸状に湾曲し、板ばね２の長手方向に沿う断面形状が円弧状である第１の押圧部２４及び第２の押圧部２５が連設してある。
【００５１】
この板ばね２ａは、取付補助部材本体取付部２６を固定板部１４ａに当接させ、取付補助部材本体取付部２６に設けられた貫通穴にネジ１７を挿通させ、取付補助部材本体１ａの固定部１４の固定板部１４ａに設けられたネジ用穴１４ｃに螺合させることにより、周方向に３等配をなして取付補助部材本体１ａに固定してある。
【００５２】
このように取付補助部材本体１ａに板ばね２ａ，２ａ…が取付けてなる取付補助部材１０ａに、照明装置本体２０が取付けられる。ヒートシンク４の筒部４１の固定部４１ａには、板ばね２ａと略同一形状をなす板ばね２ｂが取付けてある。板ばね２ｂは、一側に設けられた矩形板状の照明装置本体取付部２１を筒部４１の固定部４１ａに当接させ、照明装置本体取付部２１に設けられた貫通穴にネジ４７を挿通させ、照明装置本体２０の固定部４１ａに設けられたネジ用穴４１ｂに螺合させることにより、周方向に３等配をなして照明装置本体２０に固定してある。
【００５３】
この板ばね２ｂ，２ｂ…が取付けられた照明装置本体２０は、板ばね２ｂ，２ｂ…を照明装置本体２０の側に押し付けた状態にて保持部１１に設けられた円形穴に照明装置本体２０を電源用端子台８６の側から挿通させて、板ばね２ｂ，２ｂ…と凹部１１ｂ，１１ｂ…との位置を整合させた後、板ばね２ｂ，２ｂ…から手を離して照明装置本体２０を更に押し込むことにより、照明装置本体２０が板ばね２ｂを介して取付補助部材１０ａに取付けられる。本実施の形態においては、保持部１１に凹部１１ｂ，１１ｂ…を設けているから、板ばね２ｂ，２ｂ…の位置決めが容易である。なお、板ばね２ｂ，２ｂ…の位置決めが必要とされない場所に照明装置を設置する場合は、凹部はない方が望ましい。
【００５４】
鍔部４２の筒体４１側の他面の外周縁に設けられた２つの突設部間には、ラバー等の弾性を有する合成樹脂製部材であるパッキン１９が嵌入してある。パッキン１９は、図５に示すように、中央に開口を有する円板状であり、断面形状は矩形状である。その他の構成は、図１乃至図４に示す実施の形態１と同様であるため、対応する構成部材に図１乃至図４と同一の参照符号を付して、その構成の詳細な説明を省略する。
【００５５】
本実施の形態に係る照明装置１００ａにおいては、実施の形態１に係る照明装置１００と同様に、本実施の形態に係る取付補助部材１０ａを用いることにより、照明装置１００ａの発光面に対する遮光角を確保した状態にて照明装置本体２０を天井１１０に取付けることができる。この結果、グレアを低減することができ、使用者に不快感を与えることを抑制することができる。
【００５６】
また、板ばね２ａを筒部１３の周面から外向きに突設された固定部１４に固定するようにしてあるから、ＬＥＤ３，３…の光出射方向に設けられる筒部１３の内面にネジ１７を露出させずに板ばね２ａを固定することが可能となり、美観に資する。また、板ばね２ａの固定位置と天井１１０を押圧する位置との間隔を小さくすることが可能となるから、板ばね２ａ及び取付補助部材１０ａの固定部１４に作用するモーメントを低減することができる。
【００５７】
また、本実施の形態においては、取付補助部材１０ａの当接部１２の保持部１１の側の面の外周縁に設けられた２つの突設部１２ａ，１２ｂ間の平面１２ｃにパッキン１８を嵌入すると共に、照明装置本体２０の鍔部４２の筒体４１側の他面の外周縁に設けられた２つの突設部間にパッキン１９を嵌入している。これにより、天井１１０から照明装置１００ａが取付けられる室内へ外気が流入することを防止することができ、気密性を向上することができる。
【００５８】
従って、照明装置１００は、建具や天井と壁の接合部分のすき間を少なくし、気密性を高め、省エネルギー効果と快適性を両立させることを目的とした住宅である高気密住宅の照明装置に用いた場合であっても、室内の気密性を高いまま維持できるので好ましい。
【００５９】
なお、本実施の形態においては、固定部１４を、２つの連設板部１４ｂ，１４ｂと該連設板部１４ｂ，１４ｂ間を連結し、板ばね２ａが固定される固定板部１４ａとから構成しているが、固定部１４の形状はこれに限定されず、ネジ１７が筒部１３の内面に露出しないように構成してあればよい。
【００６０】
（実施の形態３）
図８は、本発明の実施の形態３に係る照明装置１００ｂの模式的断面図である。実施の形態２に係る取付補助部材本体１ｂは、保持部１１の内周面に略全周に亘って立設された突設部１１ａを有している。実施の形態３係る照明装置においては、実施の形態１に係る照明装置とは異なり、実施の形態２に係る照明装置と同様に、２種類の板ばねにより照明装置本体２０を取付補助部材本体１ｂに、取付補助部材本体１ｂを取付孔１１０ｃに夫々取り付けるように構成してある。
【００６１】
照明装置本体２０を取付補助部材本体１ｂに装着する板ばね２ｂは、実施の形態２に係る照明装置１００ａにおいて用いられている板ばね２ｂと同じであるため、対応する構成部材に図６と同一の参照符号を付して、その構成の詳細な説明を省略する。取付補助部材本体１ｂを取付孔１１０ｃに装着する板ばね２ｃの一側には、取付補助部材本体１ｂに取付けられる矩形板状の取付補助部材本体取付部２２（板ばね２ｃの他の部分）が設けてあり、取付補助部材本体取付部２２には貫通穴が形成してある。取付補助部材本体取付部２２に連設されたＶ字状に湾曲してなる屈曲部２３を挟んだ板ばね２ｃの他側には、一側に凸状に湾曲し、板ばね２の長手方向に沿う断面形状が円弧状である第１の押圧部２４及び第２の押圧部２５が連設してある。
【００６２】
この板ばね２ｃは、取付補助部材本体取付部２２を保持部１１に当接させ、リベット１６ａを取付補助部材本体取付部２２に設けられた貫通穴及び保持部１１に設けられた貫通穴に挿通させ、圧着することにより、周方向に３等配をなして取付補助部材本体１ｂに固定してある。なお、リベットに代えて、スポット溶接により取付補助部材本体１ｂと板ばね２ｃとを一体化するようにしてもよい。その他の構成は、図３に示す実施の形態１と同様であるため、対応する構成部材に図３と同一の参照符号を付して、その構成の詳細な説明を省略する。
【００６３】
本実施の形態に係る照明装置１００ｂにおいては、実施の形態１に係る照明装置１００と同様に、本実施の形態に係る取付補助部材１０ｂを用いることにより、照明装置１００ｂの発光面に対する遮光角を確保した状態にて照明装置本体２０を天井１１０に取付けることができる。この結果、グレアを低減することができ、使用者に不快感を与えることを抑制することができる。
【００６４】
（実施の形態４）
図９は、本発明の実施の形態４に係る照明装置１００ｃの模式的断面図である。図１０は、実施の形態４に係る取付補助部材１０ｃの模式的平面図である。
【００６５】
実施の形態４に係る取付補助部材１０ｃは、環状のフレーム９１を備えている。取付補助部材本体１ｃは、当接部１２及び保持部１１を連結する筒部１３の周面から外向きに突設された突設部１５を備えている。突設部１５には、揺動腕部９２が該揺動腕部９２に設けられた貫通穴９２ａを挿通して突設部１５に設けられたネジ用穴に螺合するネジ９３によってネジ９３周りに揺動可能に保持してある。揺動腕部９２の先端部には、ネジ用穴９２ｂが設けてあり、該ネジ用穴９２ｂには押圧部としてのネジ９４が螺合させてある。ネジ９４は、揺動腕部９２の先端部が筒部１３から離隔した位置にあるときに、フレーム９１に対向する位置にネジ９４が位置するように、揺動腕部９２に取付けてある。
【００６６】
この取付補助部材１０ｃにおいては、まずフレーム９１を取付孔１１０ｃの上面１１０ｂ（当接部１２が当接する下面１１０ａと反対側）の周縁部に載置し、揺動腕部９２の先端部を保持部１１に近接させた状態にて、取付補助部材１０ｃを天井１１０の取付孔１１０ｃを挿通させる。次に、揺動腕部９２をネジ９３周りに、図１０に矢符にて示すように、図において時計回りに略９０°回転させて、該揺動腕部９２の先端部が、換言するとネジ９４がフレーム９１に対向する位置まで移動させる。この後、先端部に設けた押圧部であるネジ９４によりフレーム９１を押圧することにより、取付補助部材１０ｃが天井１１０に装着される。その他の構成は、図６及び７に示す実施の形態２と同様であるため、対応する構成部材に図６及び７と同一の参照符号を付して、その構成の詳細な説明を省略する。
【００６７】
本実施の形態に係る照明装置１００ｃにおいては、実施の形態１に係る照明装置１００と同様に、本実施の形態に係る取付補助部材１０ｃを用いることにより、照明装置１００ｃの発光面に対する遮光角を確保した状態にて照明装置本体２０を天井１１０に取付けることができる。この結果、グレアを低減することができ、使用者に不快感を与えることを抑制することができる。
【００６８】
また、ネジ９４を締付けることによりフレーム９１を介して天井１１０を押圧しているから、ネジ９４により天井１１０に下方向の押圧力が作用し、取付補助部材本体１ｃを天井１１０に確実に安定して固定することができる。
【００６９】
なお、以上の実施の形態において、実施の形態２に係る照明装置１００ａにおいてのみパッキン１８，１９を用いているが、実施の形態１に及び本実施の形態においても、実施の形態２に係る照明装置１００ａと同様に、パッキン１８，１９を用いることができる。これにより、天井１１０から照明装置１００ｃが取付けられる室内へ外気が流入することを防止することができ、気密性を向上することが可能となる。用いるパッキンの断面形状の例を図１１に示す。
【００７０】
実施の形態２においては、図１１（ａ）に示す矩形状の断面形状を有するパッキン１８，１９を用いている。これに代えて、図１１（ｂ）に示す半円状の断面形状を有するパッキン、図１１（ｃ）に示す矩形の一辺から楔状の２つ突条が設けられた断面形状を有するパッキン等を用いることができる。なお、図１１に示すパッキンの断面形状は一例であって、これらに限定されない。
【００７１】
以上の実施の形態においては、取付補助部材を介して取付部材に照明装置本体を設置する照明装置について説明したが、照明装置の発光面に対する遮光角を確保しつつ照明装置を取付部材に設置する考え方は、取付補助部材を用いずに取付部材に直接取付けるように構成された照明装置に対しても適用することができる。
【００７２】
図１２は、取付補助部材を用いずに取付部材に直接取付けるように構成された照明装置１００ｄの模式的分解斜視図である。図１３は、取付部材に直接取付けるように構成された照明装置１００ｄの模式的部分断面図である。
【００７３】
照明装置本体２０ａは、光源であるＬＥＤ３，３…と、ＬＥＤ３，３…からの熱を放散する放熱体であるヒートシンク４ａと、ＬＥＤ３，３…の光出射方向に設けられ、ＬＥＤ３，３…からの光を反射する反射板５と、ＬＥＤ３，３…の光出射方向に設けられた化粧枠６ａと、反射板５及び化粧枠６ａ間に介挿された透光板７とを備えている。
【００７４】
ヒートシンク４ａは、アルミニウム等の金属製である。ヒートシンク４ａは、略円板状の伝熱板４３と、該伝熱板４３に平行をなして立設された矩形板状の複数の放熱板４４，４４…と、複数の放熱板４４，４４…を連結する連結板とを備えている。このヒートシンク４ａの伝熱板４３の周縁部には、矩形板状の固定部４５，４５…が伝熱板４３の径方向に直交するように、周方向に３等配をなして立設してある。固定部４５には、ネジ用穴４５ａ，４５ｂが上下に並設してある。この固定部４５，４５…は、放熱板４４，４４…に夫々連設されて一体的に構成されている。なお、ヒートシンク４ａは、ダイキャストにより一体成形してもよいし、押出加工又は切削加工により形成してもよい。
【００７５】
化粧枠６ａは、円筒部６１と、円筒部６１の一端から直交する方向に径方向外側に延設された環状の鍔部６２とを備えている。円筒部６１には、周方向の３カ所から延設された延設部６１ａ，６１ａ…が設けてあり、該延設部６１ａ，６１ａ…には、ネジ用穴６１ｂ，６１ｂ…が設けてある。このネジ用穴６１ｂ，６１ｂ…は化粧枠６ａをヒートシンク４ａに取付けたときにヒートシンク４ａの固定部４５，４５…に設けられたネジ用穴４５ｂ，４５ｂ…に対応する位置に夫々設けてある。
【００７６】
化粧枠６ａの鍔部６２の円筒部６１の側の面の外周縁には、全周に亘って立設された２つの突設部６２ａ，６２ｂが同心をなして設けてある。この２つの突設部６２ａ，６２ｂ間の平面には、ラバー等の弾性を有する合成樹脂製部材であるパッキン１８が嵌入されている。パッキン１８は、中央に開口を有する円板状であり、断面形状は矩形状である。
【００７７】
化粧枠６ａは、照明装置１００ｄの発光面と照明装置１００ｄから外部へ光が出射する光出射面との間隔、換言すると反射部５の下端部と鍔部６２の下面との間隔がＨとなるようにしてある。この化粧枠６ａは、円筒部６１の他端の側に反射板５を内嵌させて、延設部６１ａ，６１ａ…をヒートシンク４ａの固定部４５，４５…に当接させた状態にて、ネジ６３，６３…を延設部６１ａ，６１ａ…に設けられたネジ用穴６１ｂ，６１ｂ…及びヒートシンク４ａの固定部４５，４５…に設けられたネジ用穴４５ｂ，４５ｂ…に螺合させることによりヒートシンク４ａに固定してある。
【００７８】
このような照明装置本体２０ａのヒートシンク４ａの固定部４５，４５…には、板ばね２ｄが取付けてある。板ばね２ｄの一側には、照明装置本体２０ａに取付けられる矩形板状の照明装置本体取付部２１が設けてあり、照明装置本体取付部２１には貫通穴２１ａが形成してある。この照明装置本体取付部２１には、Ｖ字状に湾曲してなる屈曲部２３が連設してある。屈曲部２３を挟んだ板ばね２ｄの他側には、一側に凸状に湾曲し、板ばね２ｄの長手方向に沿う断面形状が円弧状である第１の押圧部２４及び第２の押圧部２５が連設してある。
【００７９】
この板ばね２ｄは、照明装置本体取付部２１を固定部４５に当接させ、ネジ４７を照明装置本体取付部２１に設けられた貫通穴２１ａに挿通させ、ネジ用穴４５ａに螺合することにより、照明装置本体２０ａに固定してある。その他の構成は、図１乃至図４に示す実施の形態１と同様であるため、対応する構成部材に図１乃至図４と同一の参照符号を付して、その構成の詳細な説明を省略する。
【００８０】
この照明装置１００ｄにおいても、実施の形態１に係る照明装置１００と同様に、照明装置１００ｄの発光面に対する遮光角を確保した状態にて照明装置本体２０ａを天井１１０に取付けることができる。この結果、グレアを低減することができ、使用者に不快感を与えることを抑制することができる。
【００８１】
また、照明装置本体２０ａの鍔部６２の筒体６１側の他面の外周縁に設けられた２つの突設部６２ａ，６２ｂ間にパッキン１８を嵌入している。これにより、天井１１０から照明装置１００ｄが取付けられる室内へ外気が流入することを防止することができ、気密性を向上することができる。
【００８２】
なお、以上の実施の形態においては、反射板の反射部を照明装置の発光面としているが、これに限定されない。例えば、光源の光出射側にレンズ又は拡散板を用いた場合、レンズ又は拡散板の下端が発光面に相当する。これに伴い、照明装置の発光面に対する遮光角は、レンズ又は拡散板の下端部と当接部の下端部とを通る直線と天井面とによって規定される角度となる。
【００８３】
また、以上の実施の形態においては、光源として表面実装型ＬＥＤを用いているが、これに限定されず、他の型のＬＥＤ、ＥＬ（Ｅｌｅｃｔｒｏ  Ｌｕｍｉｎｅｓｃｅｎｃｅ）等を用いてもよい。
【００８４】
また、以上の実施の形態おいては、ダウンライトに取付補助部材を用いた例について述べたが、ダウンライトに限定されず、他のタイプの照明装置にも本発明に係る取付補助部材は適用可能であり、その他、特許請求の範囲に記載した事項の範囲内において種々変更した形態にて実施することが可能であることは言うまでもない。
【符号の説明】
【００８５】
１１  保持部
１２  当接部
１３  筒部
１４  固定部
２４  第１の押圧部（押圧部）
２５  第２の押圧部（押圧部）
９４  ネジ（押圧部）
２，２ａ，２ｂ，２ｃ  板ばね（装着部材）
３  ＬＥＤ（光源）
１０，１０ａ，１０ｂ，１０ｃ  取付補助部材
２０、２０ａ  照明装置本体
９１  フレーム
９２  揺動腕部
１１０  天井（取付部材）
１１０ｃ  取付孔
【図１】
2011076979.tif 000003
【図２】
2011076979.tif 000004
【図３】
2011076979.tif 000005
【図４】
2011076979.tif 000006
【図５】
2011076979.tif 000007
【図６】
2011076979.tif 000008
【図７】
2011076979.tif 000009
【図８】
2011076979.tif 000010
【図９】
2011076979.tif 000011
【図１０】
2011076979.tif 000012
【図１１】
2011076979.tif 000013
【図１２】
2011076979.tif 000014
【図１３】
2011076979.tif 000015